【手続補正書】
【提出日】平成18年10月31日(2006.10.31)
【手続補正１】
【補正対象書類名】明細書
【補正対象項目名】特許請求の範囲
【補正方法】変更
【補正の内容】
【特許請求の範囲】
【請求項１】
画像を符号化して得られた符号列を受信して復号する画像処理装置であって、
入力した符号列をエントロピ復号して量子化インデックスを取得する復号手段と、
前記復号手段により得られた量子化インデックスを補正するのに使用する補正値を、それぞれ互いに異なる絶対値を有する複数の補正値の中から選択する補正値選択手段と、
前記量子化インデックスの値と前記補正値選択手段により選択された補正値との加算或は減算により前記量子化インデックスを補正し、当該補正した量子化インデックスと量子化ステップとの積により一連の係数列を生成する逆量子化手段と、
前記逆量子化手段により得られた係数列を逆変換操作して画像信号に復元する逆変換手段と、
を有することを特徴とする画像処理装置。
【請求項２】
前記逆変換手段は、逆離散ウェーブレット変換を実行することを特徴とする請求項１に記載の画像処理装置。
【請求項３】
前記補正値選択手段は、前記逆変換手段により逆変換される複数の周波数帯域に属する係数群の内、最も低い周波数帯域に属する係数の逆量子化に対しては常に一定の補正値を選択して出力することを特徴とする請求項１又は２に記載の画像処理装置。
【請求項４】
前記補正値選択手段は、前記処理対象となる量子化インデックスの近傍領域に関する情報に基づいて前記補正値を決定することを特徴とする請求項１に記載の画像処理装置。
【請求項５】
前記情報は、前記近傍領域の量子化インデックスの値であることを特徴とする請求項４に記載の画像処理装置。
【請求項６】
画像を符号化して得られた符号列を受信して復号する画像処理装置であって、
入力した符号列をエントロピ復号して量子化インデックスを取得する復号手段と、
逆量子化される量子化インデックスの隣接領域に関する情報及び、値がゼロの量子化インデックスの数が所定値以上かどうかに基づいて、前記復号手段により得られた量子化インデックスを補正するのに使用する補正値を、それぞれ互いに異なる絶対値を有する複数の補正値の中から選択する補正値選択手段と、
前記復号手段で得られ、前記量子化インデックスの値と前記補正値との加算或は減算により補正された前記量子化インデックスを逆量子化して画像を表す一連の係数列を生成する逆量子化手段と、
前記逆量子化手段により得られた係数列を逆変換操作して画像信号に復元する逆変換手段と、
を有することを特徴とする画像処理装置。
【請求項７】
前記符号列は、離散ウェーブレット変換された係数をビットプレーンに分解して符号化された符号列であることを特徴とする請求項１乃至６のいずれか１項に記載の画像処理装置。
【請求項８】
前記補正値選択手段は、前記符号列のビットプレーンの値に応じて補正値を決定することを特徴とする請求項７に記載の画像処理装置。
【請求項９】
前記補正値選択手段は、前記符号列に含まれる、補正値を特定するための付加情報にに応じて補正値を決定することを特徴とする請求項１に記載の画像処理装置。
【請求項１０】
画像を符号化して得られた符号列を受信して復号する画像処理方法であって、
入力した符号列をエントロピ復号して量子化インデックスを取得する復号工程と、
前記復号工程で得られた量子化インデックスを補正するのに使用する補正値を、それぞれ互いに異なる絶対値を有する複数の補正値の中から選択する補正値選択工程と、
前記量子化インデックスの値と前記補正値選択工程で選択された補正値との加算或は減算により前記量子化インデックスを補正し、当該補正した量子化インデックスと量子化ステップとの積により一連の係数列を生成する逆量子化工程と、
前記逆量子化工程で得られた係数列を逆変換操作して画像信号に復元する逆変換工程と、
を有することを特徴とする画像処理方法。
【請求項１１】
前記逆変換工程では、逆離散ウェーブレット変換を実行することを特徴とする請求項１０に記載の画像処理方法。
【請求項１２】
前記補正値選択工程は、前記逆変換工程により逆変換される複数の周波数帯域に属する係数群の内、最も低い周波数帯域に属する係数の逆量子化に対しては常に一定の補正値を選択することを特徴とする請求項１０又は１１に記載の画像処理方法。
【請求項１３】
前記補正値選択工程は、前記処理対象となる量子化インデックスの近傍領域に関する情報に基づいて前記補正値を選択することを特徴とする請求項１０に記載の画像処理方法。
【請求項１４】
前記情報は、前記近傍領域の量子化インデックスの値を含むことを特徴とする請求項１３に記載の画像処理方法。
【請求項１５】
画像を符号化して得られた符号列を受信して復号する画像処理方法であって、
入力した符号列をエントロピ復号して量子化インデックスを取得する復号工程と、
逆量子化される量子化インデックスの隣接領域に関する情報及び、値がゼロの量子化インデックスの数が所定値以上かどうかに基づいて、前記復号工程で得られた量子化インデックスを補正するのに使用する補正値を、それぞれ互いに異なる絶対値を有する複数の補正値の中から選択する補正値選択工程と、
前記復号工程で得られ、前記量子化インデックスの値と前記補正値との加算或は減算により補正された前記量子化インデックスを逆量子化して画像を表す一連の係数列を生成する逆量子化工程と、
前記逆量子化工程で得られた係数列を逆変換操作して画像信号に復元する逆変換工程と、
を有することを特徴とする画像処理方法。
【請求項１６】
前記符号列は、離散ウェーブレット変換された係数をビットプレーンに分解して符号化された符号列であることを特徴とする請求項１０乃至１５のいずれか１項に記載の画像処理方法。
【請求項１７】
前記補正値選択工程は、前記符号列のビットプレーンの値に応じて補正値を選択することを特徴とする請求項１６に記載の画像処理方法。
【請求項１８】
前記補正値選択工程は、前記符号列に含まれる補正値を特定する付加情報に応じて補正値を選択することを特徴とする請求項１０に記載の画像処理方法。
【請求項１９】
請求項１０乃至１８のいずれか１項に記載の画像処理方法をコンピュータに実行させるプログラムを記憶した、コンピュータにより読取り可能な記憶媒体。
【手続補正２】
【補正対象書類名】明細書
【補正対象項目名】００１１
【補正方法】変更
【補正の内容】
【００１１】
【課題を解決するための手段】
上記目的を達成するために本発明の画像処理装置は以下のような構成を備える。即ち、
画像を符号化して得られた符号列を受信して復号する画像処理装置であって、
入力した符号列をエントロピ復号して量子化インデックスを取得する復号手段と、
前記復号手段により得られた量子化インデックスを補正するのに使用する補正値を、それぞれ互いに異なる絶対値を有する複数の補正値の中から選択する補正値選択手段と、
前記量子化インデックスの値と前記補正値選択手段により選択された補正値との加算或は減算により前記量子化インデックスを補正し、当該補正した量子化インデックスと量子化ステップとの積により一連の係数列を生成する逆量子化手段と、
前記逆量子化手段により得られた係数列を逆変換操作して画像信号に復元する逆変換手段と、を有することを特徴とする。
上記目的を達成するために本発明の画像処理装置は以下のような構成を備える。即ち、
画像を符号化して得られた符号列を受信して復号する画像処理装置であって、
入力した符号列をエントロピ復号して量子化インデックスを取得する復号手段と、
逆量子化される量子化インデックスの隣接領域に関する情報及び、値がゼロの量子化インデックスの数が所定値以上かどうかに基づいて、前記復号手段により得られた量子化インデックスを補正するのに使用する補正値を、それぞれ互いに異なる絶対値を有する複数の補正値の中から選択する補正値選択手段と、
前記復号手段で得られ、前記量子化インデックスの値と前記補正値との加算或は減算により補正された前記量子化インデックスを逆量子化して画像を表す一連の係数列を生成する逆量子化手段と、
前記逆量子化手段により得られた係数列を逆変換操作して画像信号に復元する逆変換手段とを有することを特徴とする。
【手続補正３】
【補正対象書類名】明細書
【補正対象項目名】００１２
【補正方法】変更
【補正の内容】
【００１２】
上記目的を達成するために本発明の画像処理方法は以下のような工程を備える。即ち、
画像を符号化して得られた符号列を受信して復号する画像処理方法であって、
入力した符号列をエントロピ復号して量子化インデックスを取得する復号工程と、
前記復号工程で得られた量子化インデックスを補正するのに使用する補正値を、それぞれ互いに異なる絶対値を有する複数の補正値の中から選択する補正値選択工程と、
前記量子化インデックスの値と前記補正値選択工程で選択された補正値との加算或は減算により前記量子化インデックスを補正し、当該補正した量子化インデックスと量子化ステップとの積により一連の係数列を生成する逆量子化工程と、
前記逆量子化工程で得られた係数列を逆変換操作して画像信号に復元する逆変換工程と、を有することを特徴とする。
上記目的を達成するために本発明の画像処理方法は以下のような工程を備える。即ち、
画像を符号化して得られた符号列を受信して復号する画像処理方法であって、
入力した符号列をエントロピ復号して量子化インデックスを取得する復号工程と、
逆量子化される量子化インデックスの隣接領域に関する情報及び、値がゼロの量子化インデックスの数が所定値以上かどうかに基づいて、前記復号工程で得られた量子化インデックスを補正するのに使用する補正値を、それぞれ互いに異なる絶対値を有する複数の補正値の中から選択する補正値選択工程と、
前記復号工程で得られ、前記量子化インデックスの値と前記補正値との加算或は減算により補正された前記量子化インデックスを逆量子化して画像を表す一連の係数列を生成する逆量子化工程と、
前記逆量子化工程で得られた係数列を逆変換操作して画像信号に復元する逆変換工程とを有することを特徴とする。